(57)【要約】【課題】信号処理を行う各部が正常に動作しているか否かをより迅速に確認できるようにする。【解決手段】平面アンテナは、信号処理装置の各部から輻射された電磁波を受信して得られた受信信号を時間／周波数変換部２５１に供給する。時間／周波数変換部２５１は、受信信号に時間／周波数変換処理を施して、受信信号を、受信信号が有する周波数成分ごとの電力レベルを示す受信スペクトラムに変換する。スペクトラム比較器２５２は、受信スペクトラムと、予め求められた所定の閾値を示すスペクトラム情報とを比較する。制御ポートは、受信スペクトラムとスペクトラム情報との比較結果に基づいて、信号処理を行う各部の動作状態を示す動作状態情報を生成して出力する。本発明は、映像信号に信号処理を施す信号処理装置などに適用することができる。【選択図】図９
2007219706.tif 000002
【特許請求の範囲】
【請求項１】
所定の信号処理を実行する信号処理手段から輻射された電磁波を受信する受信手段と、
前記電磁波を受信して得られた、前記電磁波の振幅の時間的な変化を示す受信信号を、前記電磁波の周波数成分ごとの値に変換する変換手段と、
変換により得られた前記周波数成分ごとの値と、前記信号処理を実行している前記信号処理手段から輻射された電磁波から予め求められた周波数成分の基準値とを比較する比較手段と、
前記周波数成分ごとの値と前記基準値との比較結果に基づいて、前記信号処理手段の動作状態を示す情報を出力する出力手段と
を備える信号処理装置。
【請求項２】
前記基準値を記録する記録手段をさらに備える
請求項１に記載の信号処理装置。
【請求項３】
前記比較手段は、前記信号処理手段ごとに求められた前記基準値と、前記周波数成分ごとの値とを比較する
請求項１に記載の信号処理装置。
【請求項４】
前記受信手段は、１つの無指向性アンテナであり、複数の前記信号処理手段から輻射された電磁波を受信する
請求項１に記載の信号処理装置。
【請求項５】
それぞれ指向性アンテナである、複数の前記受信手段を備え、
前記受信手段のそれぞれは、複数の前記信号処理手段のそれぞれから輻射された前記電磁波のそれぞれを受信する
請求項１に記載の信号処理装置。
【請求項６】
前記出力手段は、前記変換手段により変換されて得られた前記電磁波の前記周波数成分ごとの値を用いて前記基準値を補正する
請求項１に記載の信号処理装置。
【請求項７】
所定の信号処理を実行する信号処理手段から輻射された電磁波を受信し、
前記電磁波を受信して得られた、前記電磁波の振幅の時間的な変化を示す受信信号を、前記電磁波の周波数成分ごとの値に変換し、
変換により得られた前記周波数成分ごとの値と、前記信号処理を実行している前記信号処理手段から輻射された電磁波から予め求められた周波数成分の基準値とを比較し、
前記周波数成分ごとの値と前記基準値との比較結果に基づいて、前記信号処理手段の動作状態を示す情報を出力する
ステップを含む信号処理方法。
【請求項８】
所定の信号処理を実行する信号処理手段から輻射された電磁波を受信する受信ステップと、
前記電磁波を受信して得られた、前記電磁波の振幅の時間的な変化を示す受信信号を、前記電磁波の周波数成分ごとの値に変換する変換ステップと、
変換により得られた前記周波数成分ごとの値と、前記信号処理を実行している前記信号処理手段から輻射された電磁波から予め求められた周波数成分の基準値とを比較する比較ステップと、
前記周波数成分ごとの値と前記基準値との比較結果に基づいて、前記信号処理手段の動作状態を示す情報を出力する出力ステップと
をコンピュータに実行させるプログラム。
【請求項９】
所定の信号処理を実行する信号処理手段の動作状態を検査する検査装置において、
前記信号処理手段から輻射された電磁波を受信する受信手段と、
前記電磁波を受信して得られた、前記電磁波の振幅の時間的な変化を示す受信信号を、前記電磁波の周波数成分ごとの値に変換する変換手段と、
変換により得られた前記周波数成分ごとの値と、前記信号処理を実行している前記信号処理手段から輻射された電磁波から予め求められた周波数成分の基準値とを比較する比較手段と、
前記周波数成分ごとの値と前記基準値との比較結果に基づいて、前記信号処理手段の動作状態を示す情報を出力する出力手段と
を備える検査装置。
【請求項１０】
所定の信号処理を実行する信号処理手段の動作状態を検査する検査方法において、
前記信号処理手段から輻射された電磁波を受信し、
前記電磁波を受信して得られた、前記電磁波の振幅の時間的な変化を示す受信信号を、前記電磁波の周波数成分ごとの値に変換し、
変換により得られた前記周波数成分ごとの値と、前記信号処理を実行している前記信号処理手段から輻射された電磁波から予め求められた周波数成分の基準値とを比較し、
前記周波数成分ごとの値と前記基準値との比較結果に基づいて、前記信号処理手段の動作状態を示す情報を出力する
ステップを含む検査方法。
【請求項１１】
所定の信号処理を実行する信号処理手段の動作状態を検査する検査処理をコンピュータに実行させるプログラムにおいて、
前記信号処理手段から輻射された電磁波を受信する受信ステップと、
前記電磁波を受信して得られた、前記電磁波の振幅の時間的な変化を示す受信信号を、前記電磁波の周波数成分ごとの値に変換する変換ステップと、
変換により得られた前記周波数成分ごとの値と、前記信号処理を実行している前記信号処理手段から輻射された電磁波から予め求められた周波数成分の基準値とを比較する比較ステップと、
前記周波数成分ごとの値と前記基準値との比較結果に基づいて、前記信号処理手段の動作状態を示す情報を出力する出力ステップと
を含むプログラム。
【発明の詳細な説明】
【技術分野】
【０００１】
本発明は信号処理装置および方法、検査装置および方法、並びにプログラムに関し、特に、信号処理を行う各部が正常に動作しているか否かをより迅速に確認できるようにした信号処理装置および方法、検査装置および方法、並びにプログラムに関する。
【背景技術】
【０００２】
従来、画像（映像信号）のノイズを除去するノイズ除去処理、入力された画像をより画質の高い画像に変換する画像変換処理などの信号処理を入力された映像信号に施す信号処理装置においては、図１に示すように、筺体１１内に設けられた基板上の各回路において入力された映像信号に信号処理が施されて出力される。
【０００３】
図１では、信号処理装置の直方体状の筺体１１内には、有線により互いに接続された入力基板１２、プラットフォーム基板１３、および出力基板１４が設けられており、これらの入力基板１２乃至出力基板１４のそれぞれには、筺体１１内に設けられた電源モジュール１５から電力が供給される。
【０００４】
また、プラットフォーム基板１３には、信号処理を行う回路が設けられた信号処理基板１６−１乃至信号処理基板１６−３のそれぞれが接続されている。なお、以下、信号処理基板１６−１乃至信号処理基板１６−３のそれぞれを個々に区別する必要のない場合、単に信号処理基板１６と称する。
【０００５】
入力基板１２に設けられたコネクタから入力された映像信号には、信号処理基板１６上の回路において信号処理が施されて、信号処理が施された映像信号が出力基板１４に設けられたコネクタから出力される（例えば、特許文献１参照）。
【０００６】
より具体的には、図２に示すように、映像信号は図１に示した入力基板１２に設けられたコネクタ３１−１乃至コネクタ３１−４から入力セレクタ３２に入力される。すると、システム制御ブロック３３は、ユーザの操作に応じてリモートコマンダ３４、またはボタンにより構成される操作部３５から供給される指令に基づいて、制御バス３６を介して入力セレクタ３２を制御し、コネクタ３１−１乃至コネクタ３１−４のいずれかからの映像信号を信号ルータ３７に供給させる。
【０００７】
制御バス３６には、システム制御ブロック３３、入力セレクタ３２、信号ルータ３７、およびプラットフォーム基板１３（図１）に信号処理基板１６（図１）を挿入するためのコネクタ３８−１乃至コネクタ３８−４が相互に接続されている。
【０００８】
また、システム制御ブロック３３は、信号ルータ３７を制御して入力セレクタ３２から信号ルータ３７に供給された映像信号を必要に応じて、コネクタ３８−１乃至コネクタ３８−３、およびコネクタ３９−１乃至コネクタ３９−３を介して、信号処理基板１６に設けられた機能ブロック回路４０−１乃至機能ブロック回路４０−３のいずれかに供給させる。
【０００９】
機能ブロック回路４０−１乃至機能ブロック回路４０−３のそれぞれは、システム制御ブロック３３から送信されてきた所定の信号処理の実行を指令する制御コマンドを受信すると、その制御コマンドに基づいて信号ルータ３７から供給された映像信号に信号処理を施し、信号処理が施された映像信号を信号ルータ３７、および出力基板１４（図１）に設けられたコネクタ４１を介して信号処理装置に接続された他の装置に出力する。
【００１０】
その後、機能ブロック回路４０−１乃至機能ブロック回路４０−３のそれぞれは、機能ブロック回路４０−１乃至機能ブロック回路４０−３のそれぞれの動作状態を示す情報を生成してシステム制御ブロック３３に送信する。システム制御ブロック３３は、動作状態を示す情報を受信することで、機能ブロック回路４０−１乃至機能ブロック回路４０−３のそれぞれが正常に動作しているか否かを確認する。なお、以下、機能ブロック回路４０−１乃至機能ブロック回路４０−３のそれぞれを個々に区別する必要のない場合、単に機能ブロック回路４０と称する。
【００１１】
また、高周波数成分を有する映像信号が、信号処理基板１６（図１）上の配線や機能ブロック回路４０（図２）、信号処理基板１６間を流れると、その配線や機能ブロック回路４０、信号処理基板１６から周囲の空間には電磁波が輻射される。高周波数成分を有する映像信号を処理する信号処理装置においては、このような不要輻射（放射）と称される電磁波の輻射は不可避であり、筺体１１の外部に電磁波が漏れないように対策が施されている。
【００１２】
不要輻射に対する対策として、電磁波を吸収する電磁波吸収体を筺体１１内に配置したり、独自の回路構成の工夫により電磁波を吸収したり、あるいは筺体１１の構成を工夫することにより筺体１１の外部に電磁波が漏れないようにしたりする技術の開発が進められているが、機能ブロック回路４０などを構成する電気回路や半導体チップの構造によって電磁波の輻射のパターンは異なるので、輻射された電磁波による影響を抑制するための画一的な技術は現状では存在しない。
【００１３】
さらに、近年の半導体プロセス技術の進歩や映像信号の高速化、広帯域化に伴い信号処理基板間、半導体集積回路間の通信量が増大しており、配線の周波数特性、クロストーク、パラレル線において生じる遅延（スキュー）などの問題から、筺体１１内に設けられた信号処理基板間、半導体集積回路間の通信を有線通信から、光や電磁波を用いた無線通信とする試みも進められている。
【００１４】
例えば、図３に示すように、入力基板１２、出力基板１４、および信号処理基板１６−１乃至信号処理基板１６−３のそれぞれには、アンテナ６１−１乃至アンテナ６１−５のそれぞれが設けられており、入力基板１２、出力基板１４、および信号処理基板１６のそれぞれは、アンテナ６１−１乃至アンテナ６１−５のそれぞれを介して無線通信する。なお、図３において、図１と対応する部分には同一の符号を付してあり、その説明は適宜省略する。
【００１５】
図３に示す信号処理装置においては、アンテナ６１−１乃至アンテナ６１−５のそれぞれが電磁波を輻射したり、他のアンテナから輻射された電磁波を受信したりして、映像信号や、各種の処理を行うための制御コマンドなどの送受信を行っている（例えば、特許文献２参照）。
【００１６】
【特許文献１】特開２００５−１９００８３号公報
【００１７】
【特許文献２】特開２００３−１７９８２１号公報
【発明の開示】
【発明が解決しようとする課題】
【００１８】
しかしながら、上述した技術においては、機能ブロック回路４０は、システム制御ブロック３３からの制御コマンドに基づいて信号処理を行ってから動作状態を示す情報をシステム制御ブロック３３に送信するので、システム制御ブロック３３が、各機能ブロック回路４０が正常に動作しているか否かを確認するまでに時間がかかってしまう。
【００１９】
また、システム制御ブロック３３が、現在、各機能ブロック回路４０が実行している処理とは異なる処理を機能ブロック回路４０に実行させようとした場合、システム制御ブロック３３は、各機能ブロック回路４０から動作状態を示す信号を受信するまで、新たな信号処理を機能ブロック回路４０に実行させることができないので、ユーザの操作に応じた信号処理を、直ちに機能ブロック回路４０に実行させることができないことがあった。
【００２０】
さらに、機能ブロック回路４０の数が増えると、システム制御ブロック３３が全ての機能ブロック回路４０から動作状態を示す情報を受信するのに必要な時間は、極端に長くなり、システム制御ブロック３３が機能ブロック回路４０を制御できないようになってしまうこともある。
【００２１】
本発明は、このような状況に鑑みてなされたものであり、信号処理を行う各部が正常に動作しているか否かをより迅速に確認できるようにするものである。
【課題を解決するための手段】
【００２２】
本発明の第１の側面の信号処理装置は、所定の信号処理を実行する信号処理手段から輻射された電磁波を受信する受信手段と、前記電磁波を受信して得られた、前記電磁波の振幅の時間的な変化を示す受信信号を、前記電磁波の周波数成分ごとの値に変換する変換手段と、変換により得られた前記周波数成分ごとの値と、前記信号処理を実行している前記信号処理手段から輻射された電磁波から予め求められた周波数成分の基準値とを比較する比較手段と、前記周波数成分ごとの値と前記基準値との比較結果に基づいて、前記信号処理手段の動作状態を示す情報を出力する出力手段とを備える。
【００２３】
信号処理装置には、前記基準値を記録する記録手段をさらに設けることができる。
【００２４】
前記比較手段には、前記信号処理手段ごとに求められた前記基準値と、前記周波数成分ごとの値とを比較させることができる。
【００２５】
前記受信手段を、１つの無指向性アンテナとし、前記受信手段には、複数の前記信号処理手段から輻射された電磁波を受信させることができる。
【００２６】
信号処理装置には、それぞれ指向性アンテナである、複数の前記受信手段を設け、前記受信手段のそれぞれには、複数の前記信号処理手段のそれぞれから輻射された前記電磁波のそれぞれを受信させることができる。
【００２７】
前記出力手段には、前記変換手段により変換されて得られた前記電磁波の前記周波数成分ごとの値を用いて前記基準値を補正させることができる。
【００２８】
本発明の第１の側面の信号処理方法またはプログラムは、所定の信号処理を実行する信号処理手段から輻射された電磁波を受信し、前記電磁波を受信して得られた、前記電磁波の振幅の時間的な変化を示す受信信号を、前記電磁波の周波数成分ごとの値に変換し、変換により得られた前記周波数成分ごとの値と、前記信号処理を実行している前記信号処理手段から輻射された電磁波から予め求められた周波数成分の基準値とを比較し、前記周波数成分ごとの値と前記基準値との比較結果に基づいて、前記信号処理手段の動作状態を示す情報を出力するステップを含む。
【００２９】
本発明の第１の側面においては、所定の信号処理を実行する信号処理手段から輻射された電磁波が受信され、前記電磁波を受信して得られた、前記電磁波の振幅の時間的な変化を示す受信信号が、前記電磁波の周波数成分ごとの値に変換され、変換により得られた前記周波数成分ごとの値と、前記信号処理を実行している前記信号処理手段から輻射された電磁波から予め求められた周波数成分の基準値とが比較され、前記周波数成分ごとの値と前記基準値との比較結果に基づいて、前記信号処理手段の動作状態を示す情報が出力される。
【００３０】
本発明の第２の側面の検査装置は、所定の信号処理を実行する信号処理手段の動作状態を検査する検査装置であって、前記信号処理手段から輻射された電磁波を受信する受信手段と、前記電磁波を受信して得られた、前記電磁波の振幅の時間的な変化を示す受信信号を、前記電磁波の周波数成分ごとの値に変換する変換手段と、変換により得られた前記周波数成分ごとの値と、前記信号処理を実行している前記信号処理手段から輻射された電磁波から予め求められた周波数成分の基準値とを比較する比較手段と、前記周波数成分ごとの値と前記基準値との比較結果に基づいて、前記信号処理手段の動作状態を示す情報を出力する出力手段とを備える。
【００３１】
本発明の第２の側面の検査方法またはプログラムは、所定の信号処理を実行する信号処理手段から輻射された電磁波を受信し、前記電磁波を受信して得られた、前記電磁波の振幅の時間的な変化を示す受信信号を、前記電磁波の周波数成分ごとの値に変換し、変換により得られた前記周波数成分ごとの値と、前記信号処理を実行している前記信号処理手段から輻射された電磁波から予め求められた周波数成分の基準値とを比較し、前記周波数成分ごとの値と前記基準値との比較結果に基づいて、前記信号処理手段の動作状態を示す情報を出力するステップを含む。
【００３２】
本発明の第２の側面においては、所定の信号処理を実行する信号処理手段から輻射された電磁波が受信され、前記電磁波を受信して得られた、前記電磁波の振幅の時間的な変化を示す受信信号が、前記電磁波の周波数成分ごとの値に変換され、変換により得られた前記周波数成分ごとの値と、前記信号処理を実行している前記信号処理手段から輻射された電磁波から予め求められた周波数成分の基準値とが比較され、前記周波数成分ごとの値と前記基準値との比較結果に基づいて、前記信号処理手段の動作状態を示す情報が出力される。
【発明の効果】
【００３３】
本発明の第１の側面によれば、電磁波を受信することができる。また、本発明の第１の側面によれば、信号処理を行う各部が正常に動作しているか否かをより迅速に確認することができる。
【００３４】
本発明の第２の側面によれば、電磁波を受信することができる。さらに、本発明の第２の側面によれば、信号処理を行う各部が正常に動作しているか否かをより迅速に確認することができる。
【発明を実施するための最良の形態】
【００３５】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３６】
本発明の第１の側面の信号処理装置は、所定の信号処理を実行する信号処理手段（例えば、図５の入力セレクタ１２３、信号ルータ１２４、および機能ブロック回路１２７−１乃至機能ブロック回路１２７−３）から輻射された電磁波を受信する受信手段（例えば、図５の平面アンテナ９９）と、前記電磁波を受信して得られた、前記電磁波の振幅の時間的な変化を示す受信信号を、前記電磁波の周波数成分ごとの値に変換する変換手段（例えば、図９の時間／周波数変換部２５１）と、変換により得られた前記周波数成分ごとの値と、前記信号処理を実行している前記信号処理手段から輻射された電磁波から予め求められた周波数成分の基準値とを比較する比較手段（例えば、図９のスペクトラム比較器２５２）と、前記周波数成分ごとの値と前記基準値との比較結果に基づいて、前記信号処理手段の動作状態を示す情報を出力する出力手段（例えば、図８の制御ポート２２１）とを備える。
【００３７】
信号処理装置には、前記基準値を記録する記録手段（例えば、図８のROM２２４）をさらに設けることができる。
【００３８】
前記比較手段（例えば、図１０のステップＳ１７の処理を実行するスペクトラム比較器２５２）には、前記信号処理手段ごとに求められた前記基準値と、前記周波数成分ごとの値とを比較させることができる。
【００３９】
前記受信手段（例えば、図４の平面アンテナ９９）を、１つの無指向性アンテナとし、複数の前記信号処理手段から輻射された電磁波を受信させることができる。
【００４０】
信号処理装置には、それぞれ指向性アンテナである、複数の前記受信手段（例えば、図１５の平面アンテナ３０１−１乃至平面アンテナ３０１−８）を設け、前記受信手段のそれぞれには、複数の前記信号処理手段のそれぞれから輻射された前記電磁波のそれぞれを受信させることができる。
【００４１】
本発明の第１の側面の信号処理方法またはプログラムは、所定の信号処理を実行する信号処理手段（例えば、図５の入力セレクタ１２３、信号ルータ１２４、および機能ブロック回路１２７−１乃至機能ブロック回路１２７−３）から輻射された電磁波を受信し（例えば、図１０のステップＳ１５）、前記電磁波を受信して得られた、前記電磁波の振幅の時間的な変化を示す受信信号を、前記電磁波の周波数成分ごとの値に変換し（例えば、図１０のステップＳ１６）、変換により得られた前記周波数成分ごとの値と、前記信号処理を実行している前記信号処理手段から輻射された電磁波から予め求められた周波数成分の基準値とを比較し（例えば、図１０のステップＳ１７）、前記周波数成分ごとの値と前記基準値との比較結果に基づいて、前記信号処理手段の動作状態を示す情報を出力する（例えば、図１０のステップＳ２３）ステップを含む。
【００４２】
本発明の第２の側面の検査装置は、所定の信号処理を実行する信号処理手段（例えば、図５の入力セレクタ１２３、信号ルータ１２４、および機能ブロック回路１２７−１乃至機能ブロック回路１２７−３）の動作状態を検査する検査装置であって、前記信号処理手段から輻射された電磁波を受信する受信手段（例えば、図２３の平面アンテナ４６１−１乃至平面アンテナ４６１−３）と、前記電磁波を受信して得られた、前記電磁波の振幅の時間的な変化を示す受信信号を、前記電磁波の周波数成分ごとの値に変換する変換手段（例えば、図９の時間／周波数変換部２５１）と、変換により得られた前記周波数成分ごとの値と、前記信号処理を実行している前記信号処理手段から輻射された電磁波から予め求められた周波数成分の基準値とを比較する比較手段（例えば、図９のスペクトラム比較器２５２）と、前記周波数成分ごとの値と前記基準値との比較結果に基づいて、前記信号処理手段の動作状態を示す情報を出力する出力手段（例えば、図８の制御ポート２２１）とを備える。
【００４３】
本発明の第２の側面の検査方法またはプログラムは、所定の信号処理を実行する信号処理手段から輻射された電磁波を受信し（例えば、図２５のステップＳ２３５）、前記電磁波を受信して得られた、前記電磁波の振幅の時間的な変化を示す受信信号を、前記電磁波の周波数成分ごとの値に変換し（例えば、図２５のステップＳ２３６）、変換により得られた前記周波数成分ごとの値と、前記信号処理を実行している前記信号処理手段から輻射された電磁波から予め求められた周波数成分の基準値とを比較し（例えば、図２５のステップＳ２３７）、前記周波数成分ごとの値と前記基準値との比較結果に基づいて、前記信号処理手段の動作状態を示す情報を出力する（例えば、図２５のステップＳ２４３）ステップを含む。
【００４４】
以下、図面を参照して本発明を適用した実施の形態について説明する。
【００４５】
図４は、本発明を適用した信号処理装置の構成例を示す図である。
【００４６】
信号処理装置の各部は、直方体形状の筺体９１により覆われており、筺体９１内には、有線により互いに接続された入力基板９２、プラットフォーム基板９３、および出力基板９４が設けられている。そして、これらの入力基板９２、プラットフォーム基板９３、および出力基板９４には、筺体９１内に設けられた電源モジュール９５から電力が供給される。
【００４７】
さらに、プラットフォーム基板９３には、プラットフォーム基板９３に設けられたコネクタ９６−１乃至コネクタ９６−４のそれぞれを介して、信号処理基板９７−１乃至信号処理基板９７−３、およびシステム監視回路９８のそれぞれが接続されている。
【００４８】
入力基板９２は、信号処理装置に接続されている他の装置等から供給された映像信号を、プラットフォーム基板９３を介して信号処理基板９７−１乃至信号処理基板９７−３のそれぞれまたはいずれかに供給する。
【００４９】
映像信号が信号処理基板９７−１乃至信号処理基板９７−３のそれぞれまたはいずれかに供給されると、信号処理基板９７−１乃至信号処理基板９７−３のそれぞれに設けられた機能ブロック回路のそれぞれは、供給された映像信号に所定の信号処理を施して、信号処理が施された映像信号を、プラットフォーム基板９３および出力基板９４を介して、信号処理装置に接続されているディスプレイなどの他の装置に出力する。
【００５０】
また、システム監視回路９８には、例えば、無指向性の平面アンテナ９９が接続されている。平面アンテナ９９は、筺体９１内の図中、信号処理基板９７−１乃至信号処理基板９７−３の上側に配置されている。平面アンテナ９９は、信号処理基板９７−１乃至信号処理基板９７−３のそれぞれに設けられた機能ブロック回路が信号処理を行うことにより、信号処理基板９７−１乃至信号処理基板９７−３のそれぞれ（信号処理基板上の部品やハーネス）から輻射される電磁波（不要輻射された電磁波）を受信して、これにより得られた受信信号をシステム監視回路９８に供給する。
【００５１】
このように、筺体９１内の図中、信号処理基板９７−１乃至信号処理基板９７−３の上側に無指向性の平面アンテナ９９を配置することで、１つの平面アンテナ９９により筺体９１内において信号処理基板９７−１乃至信号処理基板９７−３の全部から不要輻射される電磁波を効率よく受信することができる。
【００５２】
システム監視回路９８は、平面アンテナ９９からの受信信号に基づいて、信号処理基板９７−１乃至信号処理基板９７−３のそれぞれに設けられた機能ブロック回路が正常に動作しているか否か（動作状態）を監視する。
【００５３】
なお、以下、コネクタ９６−１乃至コネクタ９６−４のそれぞれを個々に区別する必要のない場合、単にコネクタ９６と称する。また、以下、信号処理基板９７−１乃至信号処理基板９７−３のそれぞれを個々に区別する必要のない場合、単に信号処理基板９７と称する。
【００５４】
図５は、図４に示した信号処理装置の機能の構成例を示すブロック図である。なお、図中、図４における場合と対応する部分には同一の符号を付してあり、その説明は適宜省略する。
【００５５】
信号処理装置は、システム制御ブロック１２１、コネクタ１２２−１乃至コネクタ１２２−４、入力セレクタ１２３、信号ルータ１２４、制御バス１２５、コネクタ９６−１乃至コネクタ９６−４、コネクタ１２６−１乃至コネクタ１２６−４、機能ブロック回路１２７−１乃至機能ブロック回路１２７−３、システム監視回路９８、平面アンテナ９９、リモートコマンダ１２８、操作部１２９、およびコネクタ１３０から構成される。
【００５６】
信号処理装置においては、システム制御ブロック１２１、入力セレクタ１２３、および信号ルータ１２４が制御バス１２５を介して相互に接続されている。
【００５７】
システム制御ブロック１２１は、ユーザの操作に応じてリモートコマンダ１２８、またはボタンなどから構成される操作部１２９から供給される各種の指令に応じて、信号処理装置の全体を制御する。
【００５８】
コネクタ１２２−１乃至コネクタ１２２−４のそれぞれは、例えば、DVD（Digital Versatile Disc）プレーヤなどの装置に接続されている。コネクタ１２２−１乃至コネクタ１２２−４のそれぞれは、接続されている装置から供給（入力）された映像信号（または映像信号を含む信号）を入力セレクタ１２３に供給する。なお、以下、コネクタ１２２−１乃至コネクタ１２２−４のそれぞれを個々に区別する必要のない場合、単にコネクタ１２２と称する。また、コネクタ１２２に衛星放送受信アンテナ、UHF（Ultra High Frequency）/VHF（Very High Frequency）アンテナなどを接続して、アンテナにおいて受信された映像信号がコネクタ１２２に直接入力されるようにしてもよい。
【００５９】
入力セレクタ１２３は、システム制御ブロック１２１の制御のもとに、コネクタ１２２−１乃至コネクタ１２２−４のそれぞれから供給される映像信号のいずれかを選択して、選択した映像信号を信号ルータ１２４に供給する。
【００６０】
信号ルータ１２４は、システム制御ブロック１２１の制御のもとに、入力セレクタ１２３から供給された映像信号をコネクタ９６−１乃至コネクタ９６−３のいずれかを介して、機能ブロック回路１２７−１乃至機能ブロック回路１２７−３のいずれかに供給する。
【００６１】
また、信号ルータ１２４は、機能ブロック回路１２７−１乃至機能ブロック回路１２７−３のそれぞれから供給された映像信号を、機能ブロック回路１２７−１乃至機能ブロック回路１２７−３のうちの他の機能ブロック回路、またはコネクタ１３０に供給する。
【００６２】
制御バス１２５には、また、機能ブロック回路１２７−１乃至機能ブロック回路１２７−３（信号処理基板９７（図１））、およびシステム監視回路９８をプラットフォーム基板９３に挿入するためのコネクタ９６−１乃至コネクタ９６−４のそれぞれが接続されている。
【００６３】
コネクタ９６−１乃至コネクタ９６−３のそれぞれには、信号処理基板９７−１乃至信号処理基板９７−３のそれぞれに設けられたコネクタ１２６−１乃至コネクタ１２６−３のそれぞれを介して、信号処理基板９７−１乃至信号処理基板９７−３のそれぞれに設けられた機能ブロック回路１２７−１乃至機能ブロック回路１２７−３のそれぞれが接続されている。
【００６４】
機能ブロック回路１２７−１乃至機能ブロック回路１２７−３のそれぞれは、制御バス１２５を介してシステム制御ブロック１２１から供給された所定の信号処理の実行を指令する制御コマンドを受信すると、その制御コマンドに応じて信号ルータ１２４から供給された映像信号に信号処理を施し、信号ルータ１２４に供給する。
【００６５】
例えば、機能ブロック回路１２７−１はノイズ除去回路により構成され、機能ブロック回路１２７−１は、信号処理として、映像信号にノイズ除去処理を施して信号ルータ１２４に供給する。
【００６６】
また、例えば、機能ブロック回路１２７−２はDRC（Digital Reality Creation）回路により構成され、機能ブロック回路１２７−２は、信号処理として、ＳＤ（Standard Definition）画像（の映像信号）をＨＤ（High Definition）画像に変換する画像変換処理を映像信号に施して信号ルータ１２４に供給する。
【００６７】
さらに、例えば、機能ブロック回路１２７−３は画像調整回路により構成され、機能ブロック回路１２７−３は、信号処理として輝度調整処理や色調整処理などを映像信号に施して信号ルータ１２４に供給する。
【００６８】
なお、以下、機能ブロック回路１２７−１乃至機能ブロック回路１２７−３のそれぞれを個々に区別する必要のない場合、単に機能ブロック回路１２７と称する。
【００６９】
平面アンテナ９９は、入力セレクタ１２３、信号ルータ１２４、および機能ブロック回路１２７から輻射された電磁波を受信して、これにより得られたアナログ信号である受信信号をシステム監視回路９８に供給する。
【００７０】
システム監視回路９８は、コネクタ１２６−４を介してコネクタ９６−４に接続されている。また、システム監視回路９８は、平面アンテナ９９からの受信信号に基づいて入力セレクタ１２３、信号ルータ１２４、および機能ブロック回路１２７の各部の動作状態を監視し、各部の動作状態を示す動作状態情報をシステム制御ブロック１２１に供給（出力）する。
【００７１】
なお、以下、コネクタ１２６−１乃至コネクタ１２６−４のそれぞれを個々に区別する必要のない場合、単にコネクタ１２６と称する。
【００７２】
コネクタ１３０は、信号ルータ１２４から供給された映像信号を、信号処理装置に接続されているディスプレイなどの他の装置に出力する。
【００７３】
ところで、図５の機能ブロック回路１２７は、例えば、図６に示すように構成される。
【００７４】
すなわち、機能ブロック回路１２７は、制御インターフェース１６１および機能部１６２から構成される。また、制御インターフェース１６１には、コネクタ１２６を構成する制御用コネクタ１６３が接続され、機能部１６２には、コネクタ１２６を構成する入力用コネクタ１６４および出力用コネクタ１６５が接続されている。
【００７５】
制御インターフェース１６１は、自分自身（機能ブロック回路１２７）および他の機能ブロック回路１２７を制御するために必要となる情報である制御情報を記録している。また、制御インターフェース１６１は、信号処理装置の電源がオンされると、記録している制御情報を制御用コネクタ１６３、コネクタ９６、および制御バス１２５を介してシステム制御ブロック１２１に供給（送信）する。
【００７６】
また、ユーザがリモートコマンダ１２８（図５）または操作部１２９（図５）を操作すると、リモートコマンダ１２８または操作部１２９からシステム制御ブロック１２１（図５）には、操作に応じた指令が供給される。
【００７７】
システム制御ブロック１２１は、制御インターフェース１６１から供給された制御情報に基づいて、指令に応じた信号処理を実行させるための制御コマンドを、制御バス１２５を介して機能ブロック回路１２７に送信（ブロードキャスト）する。機能ブロック回路１２７−１乃至機能ブロック回路１２７−３のそれぞれは、システム制御ブロック１２１から制御バス１２５にブロードキャストされた制御コマンドを受信する。
【００７８】
すなわち、機能ブロック回路１２７の制御インターフェース１６１は、制御用コネクタ１６３を介してシステム制御ブロック１２１からの制御コマンドを受信し、受信した制御コマンドをデコードすることにより得られた制御信号を機能部１６２に供給する。
【００７９】
機能部１６２は、制御インターフェース１６１からの制御信号に基づいて、入力用コネクタ１６４を介して信号ルータ１２４から供給された映像信号に所定の信号処理を施す。例えば、機能部１６２は、信号処理として上述したノイズ除去処理、画像変換処理、輝度調整処理、色調整処理などを映像信号に施す。また、機能部１６２は、信号処理が施された映像信号を、出力用コネクタ１６５を介して信号ルータ１２４に供給する。
【００８０】
また、制御インターフェース１６１はより詳細には、図７に示すように構成される。
【００８１】
制御インターフェース１６１は、制御ポート１９１、コマンドデコーダ１９２、およびROM（Read Only Memory）１９３から構成される。
【００８２】
制御ポート１９１は、信号処理装置の電源がオンされると、ROM１９３が記録している制御情報を制御用コネクタ１６３、コネクタ９６、および制御バス１２５を介してシステム制御ブロック１２１に供給（送信）する。また、制御ポート１９１は、ROM１９３に記録されている制御情報に基づいて、システム制御ブロック１２１から送信されてきた制御コマンドのうち、自分自身が実行すべき制御コマンドを受信してコマンドデコーダ１９２に供給する。
【００８３】
コマンドデコーダ１９２は、制御ポート１９１から供給された制御コマンドをデコードし、これにより得られた制御信号を機能部１６２に供給する。ROM１９３は、制御情報を記録しており、記録している制御情報を制御ポート１９１に供給する。ROM１９３が記録している制御情報には、例えば、制御コマンドを示す情報、その制御コマンドを実行すべき機能ブロック回路１２７を示す情報、制御コマンドを実行するために必要とされるデータなどが含まれている。
【００８４】
さらに、図５のシステム監視回路９８は、例えば、図８に示すように構成される。
【００８５】
システム監視回路９８は、制御ポート２２１、コマンドデコーダ２２２、周波数解析部２２３、およびROM２２４から構成される。
【００８６】
制御ポート２２１は、制御バス１２５を介してシステム制御ブロック１２１から送信されてきた各種のコマンドを受信し、ROM２２４に記録されている制御情報に基づいて、受信したコマンドに応じた処理を実行するか、または周波数解析部２２３に実行させる。
【００８７】
また、制御ポート２２１は、コマンドデコーダ２２２から所定の処理の実行を指令するコマンド信号が供給されると、コマンド信号に応じて所定の処理を実行し、その処理の結果を示す情報を制御バス１２５を介してシステム制御ブロック１２１に送信する。
【００８８】
コマンドデコーダ２２２は、周波数解析部２２３から供給された、信号処理装置の各部の動作状態を示す比較信号をデコードして、比較信号を所定の処理の実行を指令するコマンド信号に変換する。また、コマンドデコーダ２２２は、変換により得られたコマンド信号を制御ポート２２１に供給する。
【００８９】
周波数解析部２２３は、平面アンテナ９９から受信信号が供給されると、時間領域のアナログ信号である受信信号を、周波数領域のデジタルデータである受信スペクトラム（受信スペクトル）に変換する。すなわち、周波数解析部２２３は、電磁波の振幅の時間的な変化を示す受信信号に時間／周波数変換処理を施し、受信信号が有する周波数成分ごとの電力レベル（値）を示す受信スペクトラムに変換する。
【００９０】
言い換えれば、受信信号は、時間と信号レベルとをそれぞれ軸とする時間領域で表わされ、受信スペクトラムは、周波数と信号レベルとをそれぞれ軸とする周波数領域で表わされる。
【００９１】
周波数解析部２２３は、ROM２２４に記録されているスペクトラム情報と、時間／周波数変換処理により得られた受信スペクトラムとを比較して、基準となる比較スペクトラム（比較スペクトル）と受信スペクトラムとが一致するか否かを判定（確認）し、その比較結果を示す比較信号をコマンドデコーダ２２２に供給する。
【００９２】
ここで、比較スペクトラムとは、入力セレクタ１２３、信号ルータ１２４、または機能ブロック回路１２７が正常に動作している場合に、入力セレクタ１２３、信号ルータ１２４、または機能ブロック回路１２７から輻射された電磁波を受信して得られた受信信号に、さらに時間／周波数変換処理を施して得られたスペクトラムをいう。
【００９３】
なお、比較スペクトラムは、入力セレクタ１２３、信号ルータ１２４、および機能ブロック回路１２７のそれぞれから輻射された電磁波を受信して得られた受信信号に、さらに時間／周波数変換処理を施して得られたスペクトラムとしてもよいし、受信信号に時間／周波数変換処理を施して得られたスペクトラムがさらに所定の処理（例えば、所定の周波数成分だけを抽出する処理）によって、加工されたデータとしてもよい。
【００９４】
また、スペクトラム情報とは、比較スペクトラムを特定するための情報をいう。例えば、スペクトラム情報は、１または複数の周波数成分の電力レベルの値（閾値）を示す情報や、所定の周波数帯域の電力レベルを積分した値を示す情報、あるいは時間／周波数変換処理により得られた比較スペクトラムそのものなどとすることができる。ここで例として挙げたスペクトラム情報は、基準値の一例であり、以下では、スペクトラム情報は、複数の周波数成分の電力レベルの閾値を示す情報であるとして説明を続ける。
【００９５】
ROM２２４は、入力セレクタ１２３、信号ルータ１２４、および機能ブロック回路１２７−１乃至機能ブロック回路１２７−３のそれぞれが正常に動作している場合に輻射する電磁波の比較スペクトラムを特定するためのスペクトラム情報のそれぞれを記録している。また、ROM２２４は、これまでに受信された電磁波の受信スペクトラムのログ（記録）および制御情報を記録している。
【００９６】
さらに、周波数解析部２２３は、より詳細には図９に示すように構成される。
【００９７】
周波数解析部２２３は、時間／周波数変換部２５１、スペクトラム比較器２５２、およびＩ／Ｏポート２５３から構成される。
【００９８】
時間／周波数変換部２５１は、平面アンテナ９９から供給された受信信号に時間／周波数変換処理を施し、その結果得られた受信スペクトラムをスペクトラム比較器２５２に供給する。
【００９９】
スペクトラム比較器２５２は、ROM２２４（図８）に記録されているスペクトラム情報と、時間／周波数変換部２５１から供給された受信スペクトラムとを比較して、その比較結果を示す比較信号をＩ／Ｏポート２５３に供給する。Ｉ／Ｏポート２５３は、スペクトラム比較器２５２からの比較信号をコマンドデコーダ２２２（図８）に供給する。
【０１００】
ところで、信号処理装置の電源がオンされると、機能ブロック回路１２７のそれぞれは、記録している制御情報を制御バス１２５を介してシステム制御ブロック１２１に送信する。そして、システム制御ブロック１２１は、機能ブロック回路１２７からの制御情報を受信すると、信号処理装置の各部を初期化させる初期化コマンドを制御バス１２５を介して、制御バス１２５に接続されている各部に送信（ブロードキャスト）する。
【０１０１】
入力セレクタ１２３、信号ルータ１２４、および機能ブロック回路１２７のそれぞれは、システム制御ブロック１２１から送信されてきた初期化コマンドを受信すると、自分自身を初期化する処理を実行する。
【０１０２】
また、システム監視回路９８は、システム制御ブロック１２１から初期化コマンドが送信されてくると、信号処理装置の各部が正常に動作しているか否かを確認するシステム監視処理を行う。
【０１０３】
以下、図１０のフローチャートを参照して、システム監視回路９８による、起動時におけるシステム監視処理について説明する。
【０１０４】
ステップＳ１１において、制御ポート２２１は、システム制御ブロック１２１から送信されてきた初期化コマンドを受信する。
【０１０５】
ステップＳ１２において、制御ポート２２１は、ROM２２４からシステム（信号処理装置の各部）の監視に必要な制御情報を取得する。例えば、制御ポート２２１は、システムの監視に必要な制御情報として、周波数解析部２２３において、受信スペクトラムと比較すべき比較スペクトラムを特定するスペクトラム情報を示す情報や、コマンドデコーダ２２２から供給される比較信号などの信号に対して、どのような情報を生成すべきかを示す情報を取得する。
【０１０６】
ステップＳ１３において、制御ポート２２１は、コマンドデコーダ２２２を介して周波数解析部２２３を制御し、周波数解析部２２３を初期化させる。例えば、周波数解析部２２３は、平面アンテナ９９から供給され、一時的に記憶している受信信号を消去することにより初期化する。
【０１０７】
ステップＳ１４において、制御ポート２２１は、コマンドデコーダ２２２を介して周波数解析部２２３を制御し、ROM２２４からスペクトラム情報を取得させる。周波数解析部２２３のスペクトラム比較器２５２は、ROM２２４から、起動時（信号処理装置の電源がオンされたとき）に受信された電磁波の受信スペクトラムと比較する比較スペクトラムを特定するスペクトラム情報を取得する。
【０１０８】
ステップＳ１５において、時間／周波数変換部２５１は、平面アンテナ９９が電磁波を受信することにより得られた受信信号を取得する。すなわち、平面アンテナ９９は、入力セレクタ１２３、信号ルータ１２４、および機能ブロック回路１２７から輻射された電磁波を受信する。そして、平面アンテナ９９は、電磁波を受信して得られた受信信号を周波数解析部２２３の時間／周波数変換部２５１に供給する。
【０１０９】
ステップＳ１６において、時間／周波数変換部２５１は、平面アンテナ９９から供給された受信信号に時間／周波数変換処理を施し、受信スペクトラムに変換する。例えば、時間／周波数変換部２５１は、時間／周波数変換処理として、受信信号にFFT（Fast Fourier Transform）、DCT（Discrete Cosine Transform）、またはDFT（Discrete Fourier Transform）などの処理を施す。
【０１１０】
また、時間／周波数変換部２５１は、時間／周波数変換処理により得られた受信スペクトラムをスペクトラム比較器２５２に供給する。
【０１１１】
ステップＳ１７において、スペクトラム比較器２５２は、スペクトラム情報と、時間／周波数変換部２５１から供給された受信スペクトラムとを比較する。
【０１１２】
例えば、信号処理装置の電源がオフされている場合に、平面アンテナ９９が電磁波を受信して得られた受信信号に時間／周波数変換処理を施すと、図１１に示す受信スペクトラムが得られる。なお、図１１において、縦軸は電力レベル（ｄＢ）を示しており、横軸は周波数（MHz）を示している。
【０１１３】
信号処理装置の電源がオフされている場合、入力セレクタ１２３、信号ルータ１２４、および機能ブロック回路１２７は動作していないので、入力基板９２、出力基板９４、プラットフォーム基板９３などから輻射される電磁波（ノイズ）のスペクトラムが受信スペクトラムとして得られる。図１１に示す受信スペクトラムは、各周波数における電力レベルがほぼ一定の値となっている。
【０１１４】
これに対して、信号処理装置の電源がオンされた直後（起動直後）に平面アンテナ９９が電磁波を受信して得られた受信信号に時間／周波数変換処理を施すと、例えば、図１２に示す受信スペクトラムが得られる。ここで、図１２は、コネクタ１２２にDVDプレーヤ（DVD再生装置）を接続して、DVDを再生した場合に観測された受信スペクトラムを示している。なお、図１２において、縦軸は電力レベル（ｄＢ）を示しており、横軸は周波数（MHz）を示している。
【０１１５】
信号処理装置の電源がオンされた直後においては、入力セレクタ１２３、信号ルータ１２４、および機能ブロック回路１２７のそれぞれは初期化を行うので、入力セレクタ１２３、信号ルータ１２４、および機能ブロック回路１２７のそれぞれからは、電磁波が輻射される。したがって、信号処理装置の電源がオンされた直後においては、信号処理装置の各部から輻射された電磁波のスペクトラムおよび図１１に示すノイズのスペクトラムからなる受信スペクトラムが得られ、この受信スペクトラムが比較スペクトラムとされる。
【０１１６】
図１２に示される受信スペクトラムにおいては、特定の周波数の電力レベルが、周囲の周波数の電力レベルと比べて大きくなっており、これらの周囲の周波数よりも大きい電力レベルの周波数が、入力セレクタ１２３、信号ルータ１２４、または機能ブロック回路１２７から輻射された電磁波の周波数成分の値を示している。
【０１１７】
信号処理装置が正常に動作していない場合、これらの特定の周波数の電力レベルが周囲の電力レベルよりも大きくならなかったり、電力レベル（の大きさ）が、正常に動作している場合よりも小さくなったりする。そこで、平面アンテナ９９の位置および指向性に応じて、受信スペクトラムの所定の周波数成分に着目することで、信号処理装置の各部が正常に動作しているか否かを確認することができる。
【０１１８】
信号処理装置においては、入力セレクタ１２３、信号ルータ１２４、および機能ブロック回路１２７のそれぞれが初期化を行っているときに、入力セレクタ１２３、信号ルータ１２４、および機能ブロック回路１２７のそれぞれから輻射される電磁波の周波数成分が予め求められており、スペクトラム情報には、入力セレクタ１２３、信号ルータ１２４、または機能ブロック回路１２７から輻射される電磁波の１または複数の周波数成分の電力レベルの閾値を示す情報が含まれている。
【０１１９】
したがって、ROM２２４には、入力セレクタ１２３、信号ルータ１２４、および機能ブロック回路１２７のそれぞれが初期化を行っているときに、入力セレクタ１２３、信号ルータ１２４、および機能ブロック回路１２７のそれぞれから輻射される電磁波の受信スペクトラム（比較スペクトラム）のそれぞれを特定するスペクトラム情報のそれぞれが記録されている。
【０１２０】
例えば、入力セレクタ１２３が正常に動作しているか否かを確認するために用いられるスペクトラム情報には、周波数が250MHzおよび400MHzにおける電力レベルの閾値を示す情報が含まれており、スペクトラム比較器２５２は、このスペクトラム情報に基づいて、周波数250MHzおよび400MHzにおける電力レベルの閾値のそれぞれと、受信スペクトラムの250MHzおよび400MHzにおける電力レベルのそれぞれとを比較することにより、受信スペクトラムとスペクトラム情報とを比較する。
【０１２１】
図１０のフローチャートの説明に戻り、受信スペクトラムとスペクトラム情報とを比較すると、スペクトラム比較器２５２は、時間／周波数変換部２５１から供給された受信スペクトラムを、Ｉ／Ｏポート２５３およびコマンドデコーダ２２２を介して制御ポート２２１に供給する。
【０１２２】
ステップＳ１８において、制御ポート２２１は、スペクトラム比較器２５２から供給された受信スペクトラムのログをROM２２４に記録する。すなわち、制御ポート２２１は、ROM２２４に記録されている、これまでに受信された電磁波の受信スペクトラムが記録されているログに、新たに受信された電磁波の受信スペクトラムを追加する。
【０１２３】
ステップＳ１９において、スペクトラム比較器２５２は、受信スペクトラムと比較スペクトラムとが一致するか否かを判定する。例えば、スペクトラム情報により示される特定の周波数（例えば、250MHzおよび400MHz）の閾値のそれぞれよりも、対応する受信スペクトラムの周波数（例えば、250MHzおよび400MHz）の電力レベルのそれぞれが大きい場合、スペクトラム比較器２５２は、受信スペクトラムと比較スペクトラムとが一致すると判定する。
【０１２４】
また、例えば、受信スペクトラムの複数の特定の周波数のうち、所定の数以上（例えば、半分以上）の周波数における電力レベルが、スペクトラム情報により示される対応する特定の周波数の閾値のそれぞれよりも大きい場合、スペクトラム比較器２５２が受信スペクトラムと比較スペクトラムとが一致すると判定するようにしてもよい。
【０１２５】
さらに、例えば、スペクトラム情報が、特定の周波数帯域（例えば、250MHz乃至400MHz）の各周波数における比較スペクトラムの電力レベルの積分値を示す情報である場合、受信スペクトラムの対応する周波数帯域（例えば、250MHz乃至400MHz）の各周波数における電力レベルの積分値が、スペクトラム情報により示される積分値よりも大きいとき、スペクトラム比較器２５２が受信スペクトラムと比較スペクトラムとが一致すると判定するようにしてもよい。
【０１２６】
ステップＳ１９において、受信スペクトラムと比較スペクトラムとが一致すると判定された場合、ステップＳ２０に進み、スペクトラム比較器２５２は、受信スペクトラムと比較スペクトラムとが一致した旨の比較信号を生成する。そして、スペクトラム比較器２５２は、生成した比較信号をＩ／Ｏポート２５３を介してコマンドデコーダ２２２に供給して、処理はステップＳ２２に進む。
【０１２７】
一方、ステップＳ１９において、受信スペクトラムと比較スペクトラムとが一致しないと判定された場合、ステップＳ２１に進み、スペクトラム比較器２５２は、受信スペクトラムと比較スペクトラムとが一致しなかった旨の比較信号を生成する。そして、スペクトラム比較器２５２は、生成した比較信号をＩ／Ｏポート２５３を介してコマンドデコーダ２２２に供給して、処理はステップＳ２２に進む。
【０１２８】
ステップＳ２０またはステップＳ２１において、スペクトラム比較器２５２からコマンドデコーダ２２２に比較信号が供給されると、ステップＳ２２において、コマンドデコーダ２２２は、スペクトラム比較器２５２から供給された比較信号をデコードして、所定の処理の実行を指令するコマンド信号に変換する。コマンドデコーダ２２２は、変換により得られたコマンド信号を制御ポート２２１に供給する。
【０１２９】
ステップＳ２３において、制御ポート２２１は、ROM２２４に記録されている制御情報に基づいて、コマンドデコーダ２２２から供給されたコマンド信号に基づいて、動作状態を示す動作状態情報を生成する。そして、制御ポート２２１は、生成した動作状態情報を制御バス１２５を介してシステム制御ブロック１２１に供給（出力）し、システム監視処理は終了する。
【０１３０】
例えば、入力セレクタ１２３が正常に動作しているか否かを確認（監視）する場合、制御ポート２２１は、コマンド信号に基づいて、入力セレクタ１２３が正常に動作しているか否かを示す動作状態情報を生成する。
【０１３１】
このようにして、システム監視回路９８は、信号処理装置の各部から輻射された電磁波を受信して、信号処理装置の各部が正常に動作しているか否かを監視する。
【０１３２】
このように、信号処理装置の各部から輻射された電磁波を受信して、信号処理装置の各部が正常に動作しているか否かを監視することによって、信号処理を行う各部が正常に動作しているか否かをより迅速に確認することができる。
【０１３３】
なお、図１０のフローチャートを参照して説明したシステム監視処理においては、入力セレクタ１２３、信号ルータ１２４、または機能ブロック回路１２７のうちのいずれか１つを監視する例について説明したが、入力セレクタ１２３乃至機能ブロック回路１２７を一度に監視して、入力セレクタ１２３乃至機能ブロック回路１２７のそれぞれの動作状態を示す動作状態情報を生成するようにしてもよく、また、入力セレクタ１２３乃至機能ブロック回路１２７のそれぞれを監視する処理を順番に行うようにしてもよい。
【０１３４】
例えば、入力セレクタ１２３乃至機能ブロック回路１２７の動作状態を一度に（同時に）監視する場合、スペクトラム情報には、入力セレクタ１２３、信号ルータ１２４、および機能ブロック回路１２７のそれぞれについて、それぞれの比較スペクトラムを特定する特定の周波数の閾値を示す情報のそれぞれが含まれている。そして、スペクトラム比較器２５２は、そのスペクトラム情報を用いて、受信スペクトラムと、入力セレクタ１２３乃至機能ブロック回路１２７のそれぞれの比較スペクトラムを特定する閾値とを比較する。
【０１３５】
信号処理装置が起動すると、システム制御ブロック１２１は、ユーザの操作に応じた処理を信号処理装置の各部に実行させる。すなわち、システム制御ブロック１２１は、ユーザの操作に応じて、所定の信号処理を実行させるための制御コマンドを生成し、生成した制御コマンドを制御バス１２５を介して信号処理装置の各部にブロードキャストする。
【０１３６】
また、信号処理装置が動作している状態（定常状態）において、システム制御ブロック１２１は、信号処理を行う各部の動作状態の監視を指令する監視コマンドを生成し、生成した監視コマンドを制御バス１２５を介して信号処理装置の各部にブロードキャスト（送信）する。
【０１３７】
システム監視回路９８は、システム制御ブロック１２１から、制御バス１２５を介して監視コマンドが送信されてくると、信号処理装置の各部が正常に動作しているか否かを確認するシステム監視処理を行う。
【０１３８】
以下、図１３のフローチャートを参照して、システム監視回路９８による、動作時におけるシステム監視処理について説明する。
【０１３９】
ステップＳ５１において、制御ポート２２１は、システム制御ブロック１２１から送信されてきた監視コマンドを受信する。
【０１４０】
ステップＳ５２において、制御ポート２２１は、ROM２２４からシステムの監視に必要な制御情報を取得する。
【０１４１】
ステップＳ５３において、制御ポート２２１は、コマンドデコーダ２２２を介して周波数解析部２２３を制御し、受信する電磁波（受信スペクトラム）の周波数帯域の設定などの各種の設定を行わせる。
【０１４２】
ステップＳ５４において、制御ポート２２１は、コマンドデコーダ２２２を介して周波数解析部２２３を制御し、ROM２２４からスペクトラム情報を取得させる。周波数解析部２２３のスペクトラム比較器２５２は、ROM２２４から、動作時（信号処理装置の各部が信号処理を行っているとき）に受信された電磁波の受信スペクトラムと比較する比較スペクトラムを特定するスペクトラム情報を取得する。例えば、スペクトラム比較器２５２は、機能ブロック回路１２７−１が動作時に輻射する電磁波の比較スペクトラムを特定する情報が含まれているスペクトラム情報を取得する。
【０１４３】
その後、ステップＳ５５の処理乃至ステップＳ６３の処理のそれぞれが行われるが、これらの処理は、図１０のステップＳ１５の処理乃至ステップＳ２３の処理と同様であるので、その説明は省略する。
【０１４４】
動作状態情報が制御バス１２５を介してシステム制御ブロック１２１に送信されると、ステップＳ６４において、制御ポート２２１は、信号処理装置の電源のオフを指令する電源オフコマンドを受信したか否かを判定する。
【０１４５】
ユーザがリモートコマンダ１２８または操作部１２９を操作して、電源のオフを指令すると、システム制御ブロック１２１は、ユーザの操作に応じて電源オフコマンドを生成し、生成した電源オフコマンドを、制御バス１２５を介して信号処理装置の各部にブロードキャスト（送信）する。すると、制御ポート２２１は、制御バス１２５を介してシステム制御ブロック１２１から送信されてきた電源オフコマンドを受信する。制御ポート２２１は、この電源コマンドを受信した場合、ステップＳ６４において、電源オフコマンドを受信したと判定する。
【０１４６】
ステップＳ６４において、電源オフコマンドを受信していないと判定された場合、ステップＳ６５に進み、制御ポート２２１は、システム制御ブロック１２１からブロードキャストされた制御コマンドを受信したか否かを判定する。
【０１４７】
ステップＳ６５において、制御コマンドを受信したと判定された場合、その制御コマンドに基づいて信号処理を行うブロック（入力セレクタ１２３乃至機能ブロック回路１２７のいずれか）の動作状態を新たに監視するので、処理はステップＳ５１に戻り、それ以降の処理が繰り返される。
【０１４８】
これに対して、ステップＳ６５において、制御コマンドを受信していないと判定された場合、現在監視しているブロックの動作状態を継続して監視するので、処理はステップＳ５５に戻り、それ以降の処理が繰り返される。
【０１４９】
また、ステップＳ６４において、電源オフコマンドを受信したと判定された場合、信号処理装置の電源をオフするので、システム監視処理は終了する。
【０１５０】
このようにして、システム監視回路９８は、信号処理装置の各部から輻射された電磁波を受信して、信号処理装置の各部が正常に動作しているか否かを監視する。
【０１５１】
このように、信号処理装置の各部から輻射された電磁波を受信して、信号処理装置の各部が正常に動作しているか否かを監視することによって、信号処理を行う各部が正常に動作しているか否かをより迅速に確認することができる。
【０１５２】
しかも、従来の信号処理装置においては、信号処理装置の各部からシステム制御ブロックに一斉に（同時に）各自の動作状態を示す情報が送信され、制御バスにおいて輻輳が発生する恐れがあるが、図５の信号処理装置においては、システム監視回路９８だけが信号処理装置の各部の動作状態を示す動作状態情報をシステム制御ブロック１２１に送信するようにしたので、制御バス１２５において発生する輻輳を抑制し、リアルタイムに信号処理を行うことができる。
【０１５３】
ところで、システム制御ブロック１２１は、電源オフコマンドをブロードキャストすると、信号処理装置の各部の監視の終了を指令する監視終了コマンドを生成し、生成した監視終了コマンドを、制御バス１２５を介して信号処理装置の各部にブロードキャスト（送信）する。システム監視回路９８は、システム制御ブロック１２１から監視終了コマンドが送信されてくると、電源オフの処理を行う。
【０１５４】
以下、図１４のフローチャートを参照して、システム監視回路９８による電源オフの処理について説明する。
【０１５５】
ステップＳ９１において、制御ポート２２１は、システム制御ブロック１２１から送信されてきた監視終了コマンドを受信する。
【０１５６】
ステップＳ９２において、制御ポート２２１は、監視終了コマンドに基づいて、ROM２２４から過去に受信された電磁波の受信スペクトラムのログを取得する。
【０１５７】
ステップＳ９３において、制御ポート２２１は、取得した受信スペクトラムのログに基づいて、ROM２２４に記録されているスペクトラム情報を補正する。例えば、過去の受信スペクトラムは、比較スペクトラムと一致すると判定されてはいるが、過去の受信スペクトラムの特定の周波数の電力レベルが、スペクトラム情報により示されるその特定の周波数の閾値と殆ど差がない場合、例えば、過去の受信スペクトラムの電力レベルと、スペクトラム情報により示される閾値との差が所定の値以下である受信スペクトラムが多い場合（所定の数以上である場合）、制御ポート２２１は、その周波数の閾値を所定の値だけ下げるように、スペクトラム情報を補正する。
【０１５８】
また、例えば、過去の受信スペクトラムは、比較スペクトラムと一致すると判定されてはいるが、過去の受信スペクトラムの特定の周波数における電力レベルが、スペクトラム情報により示されるその特定の周波数の閾値より低いことが多い場合、制御ポート２２１は、その周波数の閾値を示す情報がスペクトラム情報に含まれなくなるようにスペクトラム情報を補正してもよい。この場合、受信スペクトラムとスペクトラム情報とを比較するときに、その特定の周波数の電力レベルは比較されなくなる。
【０１５９】
制御ポート２２１は、スペクトラム情報を補正すると、補正されたスペクトラム情報をROM２２４に記録させる。
【０１６０】
ステップＳ９４において、制御ポート２２１は、信号処理装置の電源がオフされるので、システム監視回路９８の全体の処理を停止させて、電源オフの処理は終了する。
【０１６１】
このようにして、システム監視回路９８は、信号処理装置の電源のオフが指示されると、過去の受信スペクトラムのログに基づいて、スペクトラム情報を補正する。
【０１６２】
このように、過去の受信スペクトラムのログに基づいて、スペクトラム情報を補正することによって、より確実に受信スペクトラムと比較スペクトラムとが一致するか否かを判定することができ、より確実に信号処理装置の各部が正常に動作しているか否かを監視することができる。
【０１６３】
また、以上においては、信号処理装置の各部から不要輻射された電磁波を受信する１つの平面アンテナ９９がシステム監視回路９８に接続されていると説明したが、例えば、筺体９１に、筺体９１内において不要輻射された全ての電磁波を受信できる位置がなかったり、電磁波同士の干渉により、部分的に十分な受信感度が得られなかったりするなどの物理的な制約がある場合には、図１５に示すように、複数の平面アンテナ３０１−１乃至平面アンテナ３０１−８をシステム監視回路９８に接続するようにしてもよい。
【０１６４】
なお、図１５において、図４における場合と対応する部分には同一の符号を付してあり、その説明は適宜省略する。
【０１６５】
図１５では、平面アンテナ３０１−１乃至平面アンテナ３０１−８のそれぞれは、筺体９１内の図中、上側に並べられて配置されている。平面アンテナ３０１−１乃至平面アンテナ３０１−８のそれぞれは指向性を有しており、信号処理装置の特定の部分から輻射された電磁波だけを受信するように配置されている。例えば、平面アンテナ３０１−１は、信号処理基板９７−１から輻射される電磁波を受信するように配置されている。
【０１６６】
ここで、指向性を有するアンテナとは、例えば、単一指向性、双指向性などの特性を有する、特定の方向からの電磁波に対して受信感度が高いアンテナ（指向性アンテナ）をいう。
【０１６７】
平面アンテナ３０１−１乃至平面アンテナ３０１−８のそれぞれは、電磁波を受信して得られた受信信号をシステム監視回路９８に供給する。以下、平面アンテナ３０１−１乃至平面アンテナ３０１−８のそれぞれを個々に区別する必要のない場合、単に平面アンテナ３０１と称する。
【０１６８】
このように、システム監視回路９８に複数の指向性を有する平面アンテナ３０１が接続される場合、システム監視回路９８は、例えば、図１６に示すように構成される。なお、図中、図８における場合と対応する部分には同一の符号を付してあり、その説明は適宜省略する。
【０１６９】
図１６に示すシステム監視回路９８は、制御ポート２２１、コマンドデコーダ２２２、およびROM２２４が設けられている点において図８に示したシステム監視回路９８と一致し、複数の周波数解析部３３１−１乃至周波数解析部３３１−８（周波数解析部３３１−３乃至周波数解析部３３１−７は図示せず）が設けられている点において異なる。
【０１７０】
周波数解析部３３１−１乃至周波数解析部３３１−８のそれぞれは、平面アンテナ３０１−１乃至平面アンテナ３０１−８のそれぞれから受信信号が供給されると、受信信号に時間／周波数変換処理を施して受信スペクトラムに変換する。
【０１７１】
また、周波数解析部３３１−１乃至周波数解析部３３１−８のそれぞれは、ROM２２４に記録されているスペクトラム情報と、時間／周波数変換処理により得られた受信スペクトラムとを比較し、その比較結果を示す比較信号をコマンドデコーダ２２２に供給する。
【０１７２】
なお、以下、周波数解析部３３１−１乃至周波数解析部３３１−８のそれぞれを個々に区別する必要のない場合、単に周波数解析部３３１と称する。
【０１７３】
このように信号処理装置に設けられた複数の周波数解析部３３１は、信号処理装置の異なる部分から輻射された電磁波が受信されて得られた受信信号に時間／周波数変換処理を施すので、その結果として、例えば、図１７乃至図１９のそれぞれに示すように、それぞれ異なる受信スペクトラムが得られる。
【０１７４】
図１７乃至図１９のそれぞれは、平面アンテナ３０１−１乃至平面アンテナ３０１−３のそれぞれにより受信された、信号処理基板９７−１乃至信号処理基板９７−３のそれぞれから輻射された電磁波の受信スペクトラムのそれぞれを示している。
【０１７５】
これらの３つの受信スペクトラムにおいては、それぞれ異なる周波数における電力レベルが周囲の周波数の電力レベルと比べて大きくなっており、信号処理基板９７ごとに輻射する電磁波の周波数成分が異なることが分かる。
【０１７６】
また、図１６に示したシステム監視回路９８が、図１０または図１３を参照して説明したシステム監視処理を行う場合、監視する部分から輻射される電磁波を受信する平面アンテナ３０１に接続された周波数解析部３３１が、ステップＳ１６の処理乃至ステップＳ２１の処理（またはステップＳ５６の処理乃至ステップＳ６１の処理）を実行する。
【０１７７】
このように、信号処理装置の特定の部分から輻射された電磁波だけを受信するように、信号処理装置の各部に複数の平面アンテナ３０１を設けることによって、監視したい部分から輻射される電磁波だけを受信することができ、より確実に信号処理装置の各部の動作状態を監視することができる。
【０１７８】
また、信号処理装置に複数の平面アンテナ３０１が設けられている場合、複数の周波数解析部３３１を設けず、図２０に示すように１つの周波数解析部２２３を設け、入力する受信信号を選択するようにしてもよい。なお、図２０において、図９における場合と対応する部分には同一の符号を付してあり、その説明は適宜省略する。
【０１７９】
図２０に示す周波数解析部２２３は、時間／周波数変換部２５１、スペクトラム比較器２５２、およびＩ／Ｏポート２５３が設けられている点において、図９の周波数解析部２２３と一致し、新たに切換部３６１が設けられている点において異なる。
【０１８０】
図２０に示す周波数解析部２２３では、時間／周波数変換部２５１と、平面アンテナ３０１−１乃至平面アンテナ３０１−８のそれぞれとの間に切換部３６１が配置されている。切換部３６１は、平面アンテナ３０１−１乃至平面アンテナ３０１−８のそれぞれから供給された受信信号のそれぞれのうち、平面アンテナ３０１からの入力を切り換えることによって所望の受信信号（平面アンテナ３０１）を選択し、選択した受信信号を時間／周波数変換部２５１に供給する。
【０１８１】
このように、平面アンテナ３０１からの入力を切り換えることによって、複数の周波数解析部２２３を設けることなく、信号処理装置の監視したい部分から輻射される電磁波だけを受信することができ、より確実に信号処理装置の各部の動作状態を監視することができる。
【０１８２】
また、図２１に示すように、プラットフォーム基板９３に設けられたコネクタ９６−４に新たに、システム監視回路９８（不図示）および平面アンテナ９９が設けられた信号処理基板４０１を接続するようにしてもよい。なお、図中、図４における場合と対応する部分には同一の符号を付してあり、その説明は省略する。
【０１８３】
図２１の例においては、信号処理基板４０１上に設けられた平面アンテナ９９が、信号処理装置の各部から輻射される電磁波を受信して、これにより得られた受信信号を信号処理基板４０１に設けられたシステム監視回路９８に供給する。
【０１８４】
さらに、図２２に示すように、信号処理装置の各部が無線通信により各種の信号、コマンドなどの授受（送受信）を行うようにしてもよい。なお、図２２において、図４における場合と対応する部分には同一の符号を付してあり、その説明は省略する。
【０１８５】
図２２の例では、入力基板９２、信号処理基板９７−１乃至信号処理基板９７−３、および出力基板９４のそれぞれには、平面アンテナ４３１−１乃至平面アンテナ４３１−５のそれぞれが設けられており、さらに、システム監視回路９８には、平面アンテナ４３１−６が接続されている。
【０１８６】
入力基板９２、信号処理基板９７−１乃至信号処理基板９７−３、出力基板９４、およびシステム監視回路９８のそれぞれは、平面アンテナ４３１−１乃至平面アンテナ４３１−６のそれぞれを介して無線通信により各種の信号やコマンドなどの送受信を行う。
【０１８７】
例えば、システム制御ブロック１２１（図５）が入力基板９２に設けられているとすると、システム制御ブロック１２１がブロードキャスト（送信）した各種のコマンドは、入力基板９２に設けられた平面アンテナ４３１−１から送信される。そして、平面アンテナ４３１−１から送信されたコマンドは、平面アンテナ４３１−２乃至平面アンテナ４３１−６のそれぞれにおいて受信されて、入力セレクタ１２３、信号ルータ１２４、機能ブロック回路１２７、システム監視回路９８などに供給される。
【０１８８】
このように、無線通信により各種の信号やコマンドなどの送受信を行うことで、制御バス１２５に負荷を与えることなく信号処理装置の各部の動作状態を監視することができる。
【０１８９】
また、信号処理装置の各部が無線通信により各種の信号やコマンドなどを送受信する場合、電磁波を受信して得られる受信スペクトラムの所定の周波数帯域には、無線通信において用いられる電磁波の成分が現れる（観測される）可能性がある。そのような場合には、無線通信に用いる電磁波の周波数帯域をマスキングして（用いずに）、受信スペクトラムとスペクトラム情報とを比較することで、より確実に信号処理装置の各部の動作状態を監視することができる。
【０１９０】
さらに、システム監視回路９８を用いて、信号処理基板９７や複数の信号処理基板９７が接続された機器（信号処理装置）の製造工程において、信号処理基板９７や信号処理装置の動作確認を行う検査システムを構成することもできる。そのような検査システムにおいては、例えば、図２３に示すように、システム監視回路９８および平面アンテナ４６１−１乃至平面アンテナ４６１−３を含むように構成される検査装置４５１が、ベルトコンベア４６２上に配置されて移動されてくる検査対象としての信号処理装置の動作確認を行う。
【０１９１】
検査装置４５１においては、検査装置４５１の全体を制御する制御部（図示せず）にシステム監視回路９８が接続され、さらにシステム監視回路９８に、指向性を有する３つの平面アンテナ４６１−１乃至平面アンテナ４６１−３のそれぞれが接続されている。
【０１９２】
また、ベルトコンベア４６２上には、筺体９１の図中、上側のカバー（天板）が外された検査対象としての信号処理装置が配置されて、ベルトコンベア４６２により斜め右上の方向に移動させられる。平面アンテナ４６１−１乃至平面アンテナ４６１−３のそれぞれは、信号処理装置が移動させられる場合に、信号処理装置が平面アンテナ４６１−１乃至平面アンテナ４６１−３のそれぞれの図中、下側を通過するように所定の位置に固定されている。
【０１９３】
なお、以下、平面アンテナ４６１−１乃至平面アンテナ４６１−３のそれぞれを個々に区別する必要のない場合、単に平面アンテナ４６１と称する。
【０１９４】
検査システムにおいて、検査装置４５１の電源がオンされると、制御部は初期化を指令する初期化コマンドを生成し、システム監視回路９８に供給する。システム監視回路９８に初期化コマンドが送信されてくると、システム監視回路９８は、電源オンの処理を行う。
【０１９５】
以下、図２４のフローチャートを参照して、システム監視回路９８による電源オンの処理について説明する。
【０１９６】
ステップＳ２０１において、制御ポート２２１は、制御部から送信されてきた初期化コマンドを受信する。
【０１９７】
ステップＳ２０２において、制御ポート２２１は、ROM２２４から信号処理装置の動作の検査に必要な制御情報を取得する。
【０１９８】
ステップＳ２０３において、制御ポート２２１は、コマンドデコーダ２２２を介して周波数解析部２２３を制御し、周波数解析部２２３を初期化させて、電源オンの処理は終了する。例えば、周波数解析部２２３は、平面アンテナ４６１から供給され、一時的に記憶している受信信号を消去することにより初期化する。
【０１９９】
検査装置４５１の電源がオンされてシステム監視回路９８が初期化されると、制御部は、検査対象としての信号処理装置の検査の開始を指令する検査コマンドを生成してシステム監視回路９８に供給する。
【０２００】
検査装置４５１は、制御部からシステム監視回路９８に検査コマンドが供給されると、検査処理を開始する。
【０２０１】
以下。図２５のフローチャートを参照して、検査装置４５１による検査処理について説明する。
【０２０２】
ステップＳ２３１において、制御ポート２２１は、制御部から送信されてきた検査コマンドを受信する。
【０２０３】
ステップＳ２３２において、制御ポート２２１は、ROM２２４から信号処理装置の動作の検査に必要な制御情報を取得する。
【０２０４】
ステップＳ２３３において、制御ポート２２１は、コマンドデコーダ２２２を介して周波数解析部２２３を制御し、受信する電磁波（受信スペクトラム）の周波数帯域、平面アンテナ４６１−１乃至平面アンテナ４６１−３のうちのいずれの平面アンテナ４６１を用いるか、平面アンテナ４６１−１乃至平面アンテナ４６１−３のそれぞれから供給される受信信号の合成方法などの各種の設定を行わせる。
【０２０５】
その後、ステップＳ２３４の処理乃至ステップＳ２４４の処理が行われるが、これらの処理は、図１３のステップＳ５４の処理乃至ステップＳ６４の処理のそれぞれと同様であるので、その説明は省略する。
【０２０６】
また、ステップＳ２４４において、電源オフコマンドを受信していないと判定された場合、ステップＳ２４５に進み、制御ポート２２１は、制御部から供給された、信号処理装置の監視（検査）する部分の変更を指令する変更コマンドを受信したか否かを判定する。
【０２０７】
ステップＳ２４５において、変更コマンドを受信したと判定された場合、その変更コマンドに基づいて、信号処理装置の検査する部分（例えば、入力セレクタ１２３乃至機能ブロック回路１２７のいずれか）を変更するので、処理はステップＳ２３１に戻り、それ以降の処理が繰り返される。
【０２０８】
これに対して、ステップＳ２４５において、変更コマンドを受信していないと判定された場合、現在監視（検査）している部分の動作状態を継続して監視するので、処理はステップＳ２３５に戻り、それ以降の処理が繰り返される。
【０２０９】
このようにして、検査装置４５１は、検査対象としての信号処理装置の各部から輻射された電磁波を受信して動作状態を検査する。
【０２１０】
このように、検査対象としての信号処理装置の各部から輻射された電磁波を受信して動作状態を検査することで、検査対象としての信号処理装置に接触することなく（非接触で）、信号処理装置の各部が正常に動作しているか否かをより迅速に検査（確認）することができる。これにより、製造工程における最終的な信号処理装置の動作確認の検査において、より効率よく信号処理装置の動作確認を行うことができる。
【０２１１】
さらに、信号処理装置の動作確認の検査において、より効率よく信号処理装置の動作確認を行うことができるので、一般に行われている抜き出し検査ではなく、コスト的に困難であるとされてきた全品検査を行うことが可能となり、製品（信号処理装置）の品質をより向上させることができる。
【０２１２】
制御部は、電源をオフして信号処理装置の動作確認の検査を終了する場合、動作確認の検査の終了を指令する検査終了コマンドを生成してシステム監視回路９８に供給する。システム監視回路９８は、制御部から検査終了コマンドが供給されると、電源オフの処理を開始する。
【０２１３】
以下、図２６のフローチャートを参照して、システム監視回路９８による電源オフの処理について説明する。
【０２１４】
ステップＳ２７１において、制御ポート２２１は、制御部から送信されてきた検査終了コマンドを受信する。
【０２１５】
ステップＳ２７２において、制御ポート２２１は、検査終了コマンドに基づいて、ROM２２４から過去に受信された電磁波の受信スペクトラムのログを取得する。
【０２１６】
ステップＳ２７３において、制御ポート２２１は、取得した受信スペクトラムのログに基づいて、ROM２２４に記録されているスペクトラム情報を補正する。制御ポート２２１は、スペクトラム情報を補正すると、補正されたスペクトラム情報をROM２２４に記録させる。
【０２１７】
ステップＳ２７４において、制御ポート２２１は、検査装置の電源がオフされるので、システム監視回路９８の全体の処理を停止させて、電源オフの処理は終了する。
【０２１８】
このようにして、システム監視回路９８は、動作確認の検査の終了が指示されると、過去の受信スペクトラムのログに基づいて、スペクトラム情報を補正する。
【０２１９】
このように、過去の受信スペクトラムのログに基づいて、スペクトラム情報を補正することによって、より確実に受信スペクトラムと比較スペクトラムとが一致するか否かを判定することができ、より確実に信号処理装置の各部が正常に動作しているか否かを監視することができる。なお、信号処理装置の動作確認の検査を行う場合、スペクトラム情報により示される所定の周波数の電力レベルを一定とするために、スペクトラム情報を補正しないようにしてもよい。
【０２２０】
以上のように、信号処理装置の各部から輻射された電磁波を受信して、信号処理装置の各部が正常に動作しているか否かを監視することによって、信号処理を行う各部が正常に動作しているか否かをより迅速に確認することができる。
【０２２１】
なお、以上においては、信号処理装置の各部から輻射される電磁波を受信するアンテナとして指向性または無指向性の平面アンテナ（例えば、平面アンテナ９９）を用いると説明したが、その他、ループアンテナやダイポールアンテナなどを用いることも勿論可能である。
【０２２２】
また、信号処理装置の各部の動作状態を監視する場合に、信号処理装置において、一旦電源をオフしてからシステム制御ブロック１２１が制御コマンドをブロードキャストして信号処理装置の各部の動作を監視することにより、信号処理装置の各部が正常に動作しているか否かだけではなく、制御コマンドに基づいて動作しているか否かも確認することができる。
【０２２３】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０２２４】
図２７は、上述した一連の処理をプログラムにより実行するパーソナルコンピュータの構成の例を示すブロック図である。パーソナルコンピュータ５０１のCPU（Central Processing Unit）５１１は、ROM５１２、または記録部５１８に記録されているプログラムに従って各種の処理を実行する。RAM（Random Access Memory）５１３には、CPU５１１が実行するプログラムやデータなどが適宜記憶される。これらのCPU５１１、ROM５１２、およびRAM５１３は、バス５１４により相互に接続されている。
【０２２５】
CPU５１１にはまた、バス５１４を介して入出力インターフェース５１５が接続されている。入出力インターフェース５１５には、キーボード、マウス、マイクロホンなどよりなる入力部５１６、ディスプレイ、スピーカなどよりなる出力部５１７が接続されている。CPU５１１は、入力部５１６から入力される指令に対応して各種の処理を実行する。そして、CPU５１１は、処理の結果を出力部５１７に出力する。
【０２２６】
入出力インターフェース５１５に接続されている記録部５１８は、例えばハードディスクからなり、CPU５１１が実行するプログラムや各種のデータを記録する。通信部５１９は、インターネットやローカルエリアネットワークなどのネットワークを介して外部の装置と通信する。
【０２２７】
また、通信部５１９を介してプログラムを取得し、記録部５１８に記録してもよい。
【０２２８】
入出力インターフェース５１５に接続されているドライブ５２０は、磁気ディスク、光ディスク、光磁気ディスク、或いは半導体メモリなどのリムーバブルメディア５３１が装着されたとき、それらを駆動し、そこに記録されているプログラムやデータなどを取得する。取得されたプログラムやデータは、必要に応じて記録部５１８に転送され、記録される。
【０２２９】
コンピュータにインストールされ、コンピュータによって実行可能な状態とされるプログラムを格納するプログラム記録媒体は、図２７に示すように、磁気ディスク（フレキシブルディスクを含む）、光ディスク（CD-ROM(Compact Disc-Read Only Memory),DVDを含む）、光磁気ディスクを含む）、もしくは半導体メモリなどよりなるパッケージメディアであるリムーバブルメディア５３１、または、プログラムが一時的もしくは永続的に格納されるROM５１２や、記録部５１８を構成するハードディスクなどにより構成される。プログラム記録媒体へのプログラムの格納は、必要に応じてルータ、モデムなどのインターフェースである通信部５１９を介して、ローカルエリアネットワーク、インターネット、デジタル衛星放送といった、有線または無線の通信媒体を利用して行われる。
【０２３０】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０２３１】
なお、本発明の実施の形態は、上述した実施の形態に限定されるものではなく、本発明の要旨を逸脱しない範囲において種々の変更が可能である。
【図面の簡単な説明】
【０２３２】
【図１】従来の信号処理装置の構成を示す図である。
【図２】従来の信号処理装置の機能の構成を示すブロック図である。
【図３】従来の信号処理装置の他の構成を示す図である。
【図４】本発明を適用した信号処理装置の構成例を示す図である。
【図５】信号処理装置の機能の構成例を示すブロック図である。
【図６】機能ブロック回路の構成例を示すブロック図である。
【図７】制御インターフェースの構成例を示すブロック図である。
【図８】システム監視回路の構成例を示すブロック図である。
【図９】周波数解析部のより詳細な構成例を示すブロック図である。
【図１０】起動時におけるシステム監視処理を説明するフローチャートである。
【図１１】電源オフ時における受信スペクトラムを示す図である。
【図１２】電源がオンされた直後における受信スペクトラムを示す図である。
【図１３】動作時におけるシステム監視処理を説明するフローチャートである。
【図１４】電源オフの処理を説明するフローチャートである。
【図１５】信号処理装置の他の構成例を示す図である。
【図１６】システム監視回路の他の構成例を示すブロック図である。
【図１７】信号処理基板から輻射された電磁波の受信スペクトラムを示す図である。
【図１８】信号処理基板から輻射された電磁波の受信スペクトラムを示す図である。
【図１９】信号処理基板から輻射された電磁波の受信スペクトラムを示す図である。
【図２０】周波数解析部の他の構成例を示すブロック図である。
【図２１】信号処理装置の他の構成例を示す図である。
【図２２】信号処理装置の他の構成例を示す図である。
【図２３】検査システムの構成例を示す図である。
【図２４】電源オンの処理を説明するフローチャートである。
【図２５】検査処理を説明するフローチャートである。
【図２６】電源オフの処理を説明するフローチャートである。
【図２７】パーソナルコンピュータの構成例を示すブロック図である。
【符号の説明】
【０２３３】
９７−１乃至９７−３，９７  信号処理基板，  ９８  システム監視回路，  ９９  平面アンテナ，  １２１  システム制御ブロック，  １２３  入力セレクタ，  １２４  信号ルータ，  １２７−１乃至１２７−３，１２７  機能ブロック回路，  ２２１  制御ポート，  ２２３  周波数解析部，  ２２４  ROM，  ２５１  時間／周波数変換部，  ２５２  スペクトラム比較器，  ３０１−１乃至３０１−８，３０１  平面アンテナ，  ３３１−１乃至３３１−８，３３１  周波数解析部，  ３６１  切換部，  ４３１−１乃至４３１−６，４３１  平面アンテナ，  ４５１  検査装置，  ４６１−１乃至４６１−３，４６１  平面アンテナ，  ５０１  パーソナルコンピュータ，  ５１１  CPU，  ５１２  ROM，  ５１３  RAM，  ５１８  記録部，  ５３１  リムーバブルメディア
【図１】
2007219706.tif 000003
【図２】
2007219706.tif 000004
【図３】
2007219706.tif 000005
【図４】
2007219706.tif 000006
【図５】
2007219706.tif 000007
【図６】
2007219706.tif 000008
【図７】
2007219706.tif 000009
【図８】
2007219706.tif 000010
【図９】
2007219706.tif 000011
【図１０】
2007219706.tif 000012
【図１１】
2007219706.tif 000013
【図１２】
2007219706.tif 000014
【図１３】
2007219706.tif 000015
【図１４】
2007219706.tif 000016
【図１５】
2007219706.tif 000017
【図１６】
2007219706.tif 000018
【図１７】
2007219706.tif 000019
【図１８】
2007219706.tif 000020
【図１９】
2007219706.tif 000021
【図２０】
2007219706.tif 000022
【図２１】
2007219706.tif 000023
【図２２】
2007219706.tif 000024
【図２３】
2007219706.tif 000025
【図２４】
2007219706.tif 000026
【図２５】
2007219706.tif 000027
【図２６】
2007219706.tif 000028
【図２７】
2007219706.tif 000029